(57)【要約】  肩当て（５０）は、取り付け部（６０）、隣接部（６２）、およびパッド部（６４）を含み、演奏時にバイオリンまたはヴィオラなどの弦楽器（８０）を支持するよう適合されており、取り付け部（６０）は、弦楽器（８０）のエンドボタン（８２）に取り付けられるように適合されており、弦楽器（８０）および肩当て（５０）の間の接触面が、弦楽器（８０）の底部ブロックに並置されるようになっている。
2011514554.tif 000002
【特許請求の範囲】
【請求項１】
弦楽器を支持するための肩当てであって、
ａ）  肩当てを弦楽器のテールピンに固定するように適合された取り付け部；
ｂ）  肩当て上に設置された弦楽器への支持を提供するよう適合される、取り付け部から延びる隣接部であって；取り付け部は、弦楽器および弦楽器を支持する肩当ての間に接触領域を提供するために、Ｌ字型の支持構造として隣接部に連結される、前記隣接部；および
ｃ）  隣接部に接続されるパッド部であって、使用中に、使用者の肩の曲線に設置および適合され、同時に、使用者の肩および鎖骨に接触するように適応された、前記パッド部；
を含み、取り付け部は、弦楽器および肩当ての間の接触面が弦楽器の底部ブロックに並置されるように、弦楽器のエンドボタンに取り付けられるように適応されている、前記肩当て。
【請求項２】
隣接部が、取り付け部の弦楽器への設置に際し、弦楽器の底板および肩当ての間の任意の接触を最小化させ、使用時に肩当て上に設置される弦楽器のダンピングを防ぐ、剛性の材料を含む、請求項１に記載の肩当て。
【請求項３】
隆起形状を有する隣接部が、取り付け部に面する傾斜した内側表面および隣接する傾斜した外側表面をさらに含み；取り付け部の弦楽器への設置に際し、弦楽器の底部ブロックの端部が内側表面を押し、肩当ての弦楽器への設置を確実にするためにＬ字型の支持を強制的に開き、さらに底板および肩当ての間の接触を最小化する、請求項２に記載の肩当て。
【請求項４】
パッド部が、使用者の肩の曲線に適合するように形成されたワイヤーフレームを含む、請求項１に記載の肩当て。
【請求項５】
取り付け部が、取り付け部の範囲に提供される、サイズ調節機構を備えたスロットをさらに含み；使用時に、異なるサイズのエンドボタンが取り付け部のスロットを介して固定可能である、請求項１に記載の肩当て。
【請求項６】
サイズ調節機構が、スロットを横断するように提供される可撓性のバンドから構成され、弦楽器のエンドボタンを挿入後に、それをスロットの範囲に保持する、請求項５に記載の肩当て。
【請求項７】
パッド部が隣接部から取外し可能になるように適応され、隣接部が弦楽器に取り付けられたままにすることができる一方、肩当てを使用しないときはパッド部を弦楽器から取り外すことができる、請求項１に記載の肩当て。
【請求項８】
弦楽器を支持するための肩当てであって、
ａ）  第１端および反対側の第２端を含む取り付け板であって、第１端は、肩当てを弦楽器に固定するために弦楽器のエンドボタンと対になるように適合されたスロットを有する、前記取り付け板；
ｂ）  取り付け板の第２端から剛体的に延びる隣接部；および
ｃ）  隣接部の平面に沿って取り付けられ、それを囲むように広がる可撓性のパッド
を含み、取り付け部および隣接部の間の接続がその間にＬ字型の支持を形成し、弦楽器と弦楽器を支持するための肩当てとの間に接触のための領域を提供し、；隣接部は、弦楽器と肩当ての間の接触面を弦楽器の底部ブロックに設置できるようにし；取り付け板と隣接部の間に形成される角度が、使用時に、隣接部が底部ブロックに並置される底板の端部を支持できるようにする一方、弦楽器の底板と肩当てとの接触を最小化する、前記肩当て。
【請求項９】
隣接部が、隣接部の上表面にわたって配置され、取り付け板の第１端および第２端と水平に配置される隆起形状を有し；隣接部が、取り付け部に面する傾斜した内側表面および隣接する傾斜した外側表面をさらに含み；取り付け部の弦楽器への設置に際し、弦楽器の底部ブロックの端部が内側表面を押し、肩当ての弦楽器への設置を確実にするためにＬ字型の支持を強制的に開き、さらに底板と肩当ての間の接触を最小化する、請求項８に記載の肩当て。
【請求項１０】
パッドが、使用者の肩の曲線に適合するように形成されたワイヤーフレームを含む、請求項８に記載の肩当て。
【請求項１１】
取り付け板に、さらに、スロットのためのサイズ調節機構が提供され、使用時に、異なるサイズのエンドボタンが取り付け板のスロットを介して固定可能である、請求項８に記載の肩当て。
【請求項１２】
サイズ調節機構が、スロットを横断するように提供される可撓性のバンドから構成され、弦楽器のエンドボタンを挿入後に、それをスロットの範囲に保持する、請求項１１に記載の肩当て。
【請求項１３】
パッドが隣接部から取外し可能になるように適応され、隣接部が弦楽器に取り付けられたままにすることができる一方、肩当てを使用しない時はパッドを弦楽器から取り外すことができる、請求項８に記載の肩当て。
【発明の詳細な説明】
【技術分野】
【０００１】
本発明は、バイオリンまたはヴィオラなどの弦楽器を、使用者の肩の上に支持することを目的とする、肩当てに関する。
【背景技術】
【０００２】
多くのバイオリン奏者またはヴィオラ奏者は、首周りおよび／または肩周りに、楽器演奏による痛みや疲労を頻繁に経験している。バイオリン／ヴィオラの固い木製の背板との接触のため、とくに長時間の練習または演奏後には、鎖骨をさらに悪化させる。よって、バイオリン／ヴィオラを支持するための肩当てを用いることは、奏者の快適性を改善する効果的な解決手段であり、肩での楽器の良好な固定を提供すると考えられている。
【０００３】
しかし、多くの名バイオリニスト／名ヴィオリストは肩当てを使おうとはしない。彼らが短所の一つとして論じるに、従来の肩当てはその固有のデザインのために、肩関節の動きを固定し、肩の上でのバイオリンの動作の自由を制限するため、バイオリン、弓および奏者の間の必要な動的な相互作用を喪失させる。
【０００４】
従来のブリッジタイプの肩当ては、また、バイオリンから使用者の体への音の円滑な伝達を阻害しうる。また、他の肩当てのデザインにおいては、バイオリンを固定するために金属製クランプが組み込まれるため、バイオリン本体を損傷しうる。
【発明の概要】
【０００５】
上記の技術背景を踏まえ、本願発明の目的は、弦楽器用、特にバイオリンおよびヴィオラのための、代替の肩当てを提供することにある。
【０００６】
よって、１つの側面において、本発明は、取り付け部、隣接部およびパッド部を含む、弦楽器を支持するための肩当てである。取り付け部は、肩当てを弦楽器のテールピンへと固定するよう適合されており、取り付け部から延びる隣接部は、肩当てに設置されたときに弦楽器への支持を提供するよう適合されている。１つの態様において、取り付け部と隣接部は連結され、弦楽器と弦楽器を支持する肩当ての間に接触領域を提供するための、Ｌ字型の支持構造を形成する。パッド部は隣接部に接続し、使用者の肩の曲線に合わせて設置されるように適合されている。さらに、使用中において、使用者の肩と鎖骨に同時に接触するよう適合されている。さらに、取り付け部は、弦楽器と肩当ての間の接触面が、弦楽器の底部ブロックと並置されるように、弦楽器のエンドボタンに取り付けられるように適合されている。
【０００７】
さらなるもう１つの態様において、隣接部は、取り付け部の弦楽器への取り付けに際し、弦楽器の底板と肩当ての間の接触を最小限にする、剛性の材料を含む。そのため、使用時において、肩当てに設置された弦楽器のダンピング（damping）を防止することができる。
【０００８】
本発明のもう１つの態様において、取り付け板、隣接部および可撓性のパッドを含む、弦楽器を支持するための肩当てが提供される。取り付け板は、第１端および反対側の第２端を含む。第１端にはスロットが提供され、肩当てを弦楽器へ固定するために、弦楽器のエンドボタンと対になるように適合される。隣接部は取り付け板の第２端から剛体的に延び、その間に実質的にＬ字型の支持が形成され、弦楽器と弦楽器を支持する肩当てとの間に接触領域を提供する。さらに、弦楽器は、接触面が弦楽器の底部ブロックにあるようにすることができ、取り付け板と隣接部の間に形成される角度が、使用時において隣接部が底部ブロックに並置される底板の端を支持できるようにする一方で、弦楽器の底板と肩当てとの接触を最小化させる。隣接部の周りにその平面に沿って取り付けられ広がっているパッドは、使用時において使用者の肩および鎖骨に同時に接触し、保護するように適合されている。
【０００９】
剛性だが可撓性もあるため、取り付け部および隣接部の連結により形成されるＬ字型の支持は、肩当ての弦楽器への取り付けに際し、強制的に開くようにすることができる。そして隣接部は弦楽器から強制的に離され、肩当てと弦楽器の間の接触と、それ故にそこに設置される弦楽器のダンピングが最小化されうる。
【００１０】
また、その固有のデザインのために、本発明の肩当ての隆起形状の隣接部は、演奏の間においてバイオリンまたはヴィオラのスクロールが落ちるのを防ぐようにし、そして弦楽器をつかむ手は、幅広い配向性および方向性を実現する、完全に自由な動きを得ることができる。さらに、弦楽器をつかむ腕の、演奏に際するエルゴノミクスを改善することができる。
【図面の簡単な説明】
【００１１】
【図１Ａ】図１Ａは本発明の一態様による弦楽器を支持するための肩当ての透視図である。
【図１Ｂ】図１Ｂは本発明の一態様による弦楽器を支持するための肩当ての側面図である。
【図１Ｃ】図１Ｃは本発明の一態様による弦楽器を支持するための肩当ての平面図である。
【００１２】
【図２Ａ】図２Ａは本発明の同じ態様による、弦楽器を配置せず使用者の肩に設置された肩当ての図である。
【００１３】
【図２Ｂ】図２Ｂは本発明の同じ態様による、弦楽器が配置された使用中の肩当ての図である。
【００１４】
【図３】図３は本発明のもう１つの態様による、弦楽器を支持するための肩当ての透視図である。
【発明を実施するための形態】
【００１５】
本明細書および特許請求の範囲において、「含む(comprising)」は、後続の要素を含むが他のものを除外しないことを意味する。「含む」の用語を包含する本明細書中の各記載を解釈する際は、かかる用語により前置きされたもの以外の特徴もまた存在するかもしれない。「含む(comprise)」および「含む(comprises)」などの関連する用語は、同様に解釈されるべきである。
【００１６】
「成型できる(formable)」の用語は、材料の性質を言及するものであって、それにより作製された物質が容易にその形を変化させることができるが、ひとたび変化するとその形を保つことができるという性質をいう。
【００１７】
「近位側(proximal side)」は、首に近い使用者の肩の一側を言及する。同様に、その対応である「遠位側(distal side)」は、腕に近く、そして首からさらに離れて位置する肩の一側をいう。対応して、「近位鎖骨(proximal clavicle)」は使用者の首に近い使用者の鎖骨の一側を意味し、一方、「遠位鎖骨(distal clavicle)」は、「近位鎖骨」の反対側である。
【００１８】
まず、図１Ａ、１Ｂおよび１Ｃに関し、本発明の第１の態様は、取り付け部６０、隣接部６２およびパット部６４を含む、弦楽器を支持するための肩当て５０である。示された例において、取り付け部６０は第１端６０ａおよび反対側の第２端６０ｂを含む平坦な板である。スロット６０ｅは第１端６０ａの範囲に提供される。隣接部６２は、取り付け部６０とともに実質的にＬ字型の支持を形成するために、第２端６０ｂから延びる舌部である。それは、舌部の上面にわたって配置される隆起形状を有し、取り付け部６０の２つの端部と水平に配置される。隣接部６２の隆起は、取り付け部６０に面する傾斜した内側表面６２ａおよび隣接する傾斜した外側表面６２ｂを有する。パット部６４は隣接部６２に取り付けられた可撓性のパッドであり、その平面にわたって広がる。
【００１９】
次に、図２Ａおよび２Ｂにおいて、肩当て５０は、スロット６０eをエンドボタン８２のネックを通してスライドさせることにより、弦楽器８０へと取り付けることができる。示された態様において、第１端６０ａはスロット６０ｅに隣接するスリットからなる。スリットは引っ張って開放させることができ、エンドボタン８２がスロット６０ｅへと挿入され、肩当て５０を弦楽器８０へと取り付けるようにできる。示された態様において、取り付け部６０は剛性だが弾性のある材料で作られるので、取り付けの固定を補助することができる。さらに図２Ｂにおいて示されるように、弦楽器８０のテールピン８０ａは、隣接部６２の内側表面６２ａと接触するようにされ、一旦肩当て５０上に設置されると弦楽器８０に支持を提供するよう適合される。そのような取り付け部６０のテールピン８０ａへの取り付けに際し、弦楽器８０の底板８０ｂは硬質だが可撓性のある隣接部６２上へと押され、隣接部６２を取り付け部６０とつなぐＬ字型の支持を強制的に開く。隆起の存在のため、隣接部６２の遠位端は底板８０ｂから強制的に離され、（振動により音楽を作り出す）底板８０ｂおよび隣接部６２の間に生じうる任意の接触を最小化することができる。そのため、肩当て５０上に設置された弦楽器８０のダンピングは、最小化されうる。パット部は、記載の簡略化のために図２Ａおよび図２Ｂには示されない。
【００２０】
本発明のもう１つの態様において、肩当て５０の取り付け部６０には、スロット６０ｅを異なるサイズのエンドボタンへ取り付けられるように適応された、スロットｅのためのサイズ調節機構が提供される。図３で描かれる態様におけるサイズ調節機構は、取り付け部６０の背側において取り付けられ、スロット６０ｅを横断して伸縮する可撓性のバンド９０からなる。スロット６０ｅのサイズは、横断するバンド９０の長さを調節することにより調節することができ（図３において、バンド９０の広げられた形態が破線９０ａで示されるように）、よって異なるサイズのエンドボタンを肩当てに適合することができる。
【００２１】
肩当て５０の弦楽器への取り付けに際し（図３には示されない）、エンドボタン８０（図３において破線で示される）はスロット６０ｅに挿入される。この特別な態様において、スロット６０ｅは取り付け部６０の第１端６０ａにおける開口部を含む。そして、可撓性のバンド９０が伸縮され、エンドボタン８０の周囲を覆う。そのようにして、可撓性のバンド９０により抵抗力がエンドボタン８０上に適用され、それがスロット６０ｅから外れることを防ぐ。
【００２２】
本発明の肩当て５０を使用することにより、使用者は演奏の際に使用者の鎖骨の制限のない動きを獲得することができ、一方、使用者の弦楽器８０は、肩当て５０上で使用者の肩に快適に設置される。肩当て５０のパッド部６４は、使用者の肩の曲線に適合し、同時に演奏の間、使用者の肩および鎖骨に接触するように作製および設計される。それは、好ましくは、柔らかく、可撓性のある、または成型可能な材料で作製されるため、使用者の胸鎖関節および肩鎖関節は自由および可動にさせておくことができる。さらに、弦楽器８０を保持する使用者の腕は、複数の配向および方向に移動することができる。
【００２３】
本発明のいくつかの態様の詳細は、よって完全に記載された。本明細書は特別な態様に言及するが、本発明がこれらの具体的な詳述の変形で実施されてもよいことは、当業者には明らかである。したがって、本発明は、本明細書中に記載される態様に限定されるものとして理解されるべきではない。
【００２４】
例えば、取り付け部および隣接部はパッド部の中央の位置に提供されると説明されるが、これらの２つの部品が使用者の好みに応じてパッド部の他の位置に配置することができることは、当業者には明らかである。取り付け部および隣接部は、例えばプラスチックまたは木材のような、しかしそれには限定されない、任意の剛性の材料で作られてもよく、本明細書中に提供された教示に基づいて、使用者の要求に応じた他の形および厚さであることができる。さらに隣接部の長さおよび形は、好みに応じて変化させることができる。
【００２５】
前述の例において、取り付け部は、スリット、そして続くエンドボタンを収容するスロットを含むように記載される。本明細書において提供される教示に基づいて、取り付け部の他の構造を用いてもよいことは明らかである。例えば、狭いスロットがスリットの代わりに提供されてもよく、または他のクランプ機構が取り付け部をエンドボタンまたはエンドボタンの周りのクランプ、または弦楽器に応じた同等の物に固定するために用いられてもよい。
【００２６】
弦楽器が肩当て上に設置される場合の使用の間、Ｌ字型支持中の隣接部および取り付け部の間の角度は、設置する弦楽器の端部に適合する任意の角度であることができる。
【００２７】
肩当てのパッド部は、柔らかい材料、例えば、とくに、柔らかいゴム、スポンジまたはキルトで作製することができる。それは、好みに応じて異なる使用者の異なる曲線に適合するように変更することができるような、人間工学的に調節できるフレームで作製することもできる。例えば、ワイヤーフレームまたは成型できる材料もまた基部のための柔らかい材料を支持するために用いることができ、得られた肩当ては、使用者の肩の曲線に適合するように調節することができる。
【００２８】
さらに、パッド部は、隣接部から取外し可能に設計することができ、使用者はパッド部を隣接部から外すことができる一方、肩当てが使用中でないときは、使用者の好みに応じて、隣接部を弦楽器に取り付けたままにしておく。
【００２９】
柔らかい材料の部品もまた、使用者の好みに応じて、肩当て上に設置された弦楽器に対する追加の保護のために、Ｌ字型支持中の取り付け部および隣接部の間の接合部に組み込むことができる。
【００３０】
図に示されるサイズ調節機構は、上記の態様において可撓性のバンドからなるが、ベルクロ（登録商標）、ばね、ねじまたはアダプターなどの他の形態が、肩当ての弦楽器への安定した配置を提供するために用いることができることは、当業者には明らかである。可撓性のバンドは、弾力性があり可撓性の材料、例えば、とくに、柔らかいゴム、ナイロン、その組み合わせなどで作製することができる。
【図１Ａ】
2011514554.tif 000003
【図１Ｂ】
2011514554.tif 000004
【図１Ｃ】
2011514554.tif 000005
【図２Ａ】
2011514554.tif 000006
【図２Ｂ】
2011514554.tif 000007
【図３】
2011514554.tif 000008
【国際調査報告】
2011514554.tif 000009
2011514554.tif 000010
2011514554.tif 000011